(57)【要約】【課題】  制御回路基板ボックスに設けられた係止手段が不正抜脱されることを簡単な構造で不可能にするとともに、封止手段に対する破壊行為の隠蔽を困難なものとする。【解決手段】  基板ボックス封止手段１７で歯合する第一ロック部材３０と第二ロック部材３１と第三ロック部材３２とを幅狭な厚みＮを有す第一ロック部材となる金属性薄板状係止手段３０に対応して形成するものとして基板ボックス封止手段１７の立体構造の縮小を厚みＮの設定によって図り、制御回路基板ボックス基体２９と制御回路基板ボックス蓋２８との封止を、前記第一ロック部材３０を、制御回路基板ボックス蓋２８に連設される基板ボックス封止手段１７の第二ロック部材３１と制御回路ボックス基体２９連設された基板ボックス封止手段１７の第三ロック部材３２とで各々歯合する。【選択図】    図７
2005095205.tif 000002
【特許請求の範囲】
【請求項１】
制御回路基板ボックス基体２９と樹脂成型された制御回路基板ボックス蓋２８とを不正開放不能に封止する基板ボックス封止手段１７を、制御回路基板ボックス基体２９に連設された係止手段３２の係合面４６と、制御回路基板ボックス蓋２８に連設された係止手段３１の係合面４７と、該係合面４６と係合面４７とに各々歯合するとともに抱持して該制御基板ボックス基体２９と制御基板ボックス蓋２８とを封止する金属性薄板状係止手段３０とにより構成したことを特徴とする遊技機における制御回路基板ボックス。
【発明の詳細な説明】
【技術分野】
【０００１】
本発明は、パチンコ遊技機やスロットマシンの制御回路基板ボックスに関する。
【背景技術】
【０００２】
従来、遊技機に設けられた制御回路基板ボックスは、制御回路基板が不正に改造されることを防止するために制御回路基板ボックスを封印シールや締着螺子により開放不能にする構造とされてきた。（特許文献１参照。）改良された技術にあっては、締着螺子により一旦螺嵌された制御回路基板ボックスは、基板ボックス締着部をニッパ等の工具により切断し破壊しなければ制御回路基板収納ボックスを開放できない構造とした。（特許文献２参照。）また制御基板ボックスの締着手段の具体化された構成としては、ケース部材側（公報符号２０４）で係止された締着ネジの離脱を防止するため挿入ピン固定台（公報符号２１０）やボールを有する物となり、（特許文献３。）ボックス本体（公報符号４１）側の保持部Ｈによって封印金具（公報符号１１）の係止爪（公報符号１１C）を保持し基板ボックス（公報符号４０）を開放不能にする構成となっている。（例えば、特許文献４参照）
【０００３】
更に、制御回路基板ボックスを螺子やピンなどで締着した後当該螺子やピンを不正取外しから防護するために封印キャップ、被覆部材、ボール、ボス蓋等の別部品を設けて螺子やピンなどの頭部に覆設する技術が開発された。（特許文献５、特許文献６、特許文献７、特許文献８）
【特許文献１】実開平１−２６０８５号公報（図７）
【特許文献２】特開平１０−２１６３２３号公報（第３頁、図６）
【特許文献３】特開平１５−１７５２４２号公報（第７頁、第８頁、図１２Ｂ、図１３Ｄ）
【特許文献４】特開２００２−２８２４９８号公報（第５頁、図４）
【特許文献５】特開平１２−３０８０７４３号公報（図４、封印キャップ８０）
【特許文献６】特開平１４−１１３２３２号公報（図５、被覆部材）
【特許文献７】特開平１５−１７５２４２号公報（図１３Ｄ、ボール）
【特許文献８】特開平１４−１２６３０７号公報（図３，ボス蓋１３）
【発明の開示】
【発明が解決しようとする課題】
【０００４】
従来構成の制御回路基板ボックスに対する不正開放を防止する為の封止手段にあっては、締着螺子やピンによる締着作用が単方向でのみ締着作用を維持する構成であって、また、締着螺子を抜脱して不正開放することが可能であって、抜脱された締着螺子を再び挿入する工夫を施せば不正開放の痕跡を発見することが困難となる構成であった。また、挿通された締着螺子の不正な抜脱を防止するために締着螺子の頭部を蓋部材で覆ったり、或いは締着螺子や封止ピンが連通される先端に対してストッパー部材やピン固定台を設ける複雑な構造と成っていた。
【０００５】
また、棒状体、円筒状となる締着螺子の胴の外周縁には螺子溝が刻設され、ピンを封止手段とする場合にもピンの胴部には同心円上に嵌合溝や突片が設けられて封止手段の取付面積が拡大される構造となっていた。更にこれが為制御回路基板ボックス全体の構造も大きく煩雑なものと成ってきた。これによって制御回路基板ボックスの組み立て製造や取扱を不経済で不便なものとしてきた。
【０００６】
また、制御回路基板ボックスの封印手段は、必要な検査や修理ために多数個を設けることが望まれるが、締着螺子やピン等を使用する構造若しくは樹脂によって封印手段を形成する場合には付属部品収容する為、或いは機械強度を維持しする為に所定の肉厚構造が形成されて立体構造を拡大している。本願発明は、制御回路基板ボックスに設けられる封止手段が不正抜脱されることを単純な係止手段の組合わせ構造によって不可能にものにするとともに、封止手段に対する破壊行為の隠蔽を困難なものとする一方、係止手段が係入される封止手段が制御回路基板ボックスを占有する封止手段の取付面積が幅狭で占有領域を微少なものとする遊技機における制御回路基板ボックスを提供することを目的とする。
【課題を解決するための手段】
【０００７】
課題を解決する手段は、制御回路基板ボックス基体２９と樹脂成型された制御回路基板ボックス蓋２８とを不正開放不能に封止する基板ボックス封止手段１７を、制御回路基板ボックス基体２９に連設された係止手段３２の係合面４６と、制御回路基板ボックス蓋２８に連設された係止手段３１の係合面４７と、該係合面４６と係合面４７とに各々歯合するとともに抱持して該制御基板ボックス基体２９と制御基板ボックス蓋２８とを封止する金属性薄板状係止手段３０とにより構成したことを特徴とする遊技機における制御回路基板ボックスを要旨とする。
【発明の効果】
【０００８】
本願発明の構成によって、
【０００９】
本願発明は、制御回路基板ボックスに設けられた封止手段が不正抜脱されることを、金属性薄板状係止手段と歯合して抱持する係止手段の組合わせ構造によって不可能にものにするとともに、封止手段に対する破壊行為の隠蔽を困難なものとする一方、係止手段が係入される封止手段の制御回路基板ボックスに連設される取付面積を、幅狭で占有領域が微少なものとする効果を生じる。
【００１０】
基板ボックス封止手段１７を構成する金属製薄板状係止手段３０に形成される歯面３４と歯面３５とが、係止手段３１に形成される歯面３６と歯面３７、および係止手段３２に形成される歯面４１とに互いに咬み合って係止する構造、とすれば係止手段３０と係止手段３１と係止手段３２とが互いに密着して基板ボックス封止手段が一体となるので、係止手段の係合部の間隙が密封されて不正行為の脆弱性をもたらす誘因が封印される効果を生じる。
【発明を実施するための最良の形態】
【００１１】
本願発明における実施の形態を、図１から図１０を参照して以下詳細に説明する。
【実施例１】
【００１２】
本実施例において、図１は、制御回路基板ボックス１５が設置されるパチンコ遊技機１の正面図でありパチンコ遊技機１の正面中央部には遊技盤２が脱着可能に設けられ、該遊技盤２中央には図柄表示装置６や入賞口装置７が配設されている。
【００１３】
パチンコ遊技機１の正面中央下方には打球受け皿３が設けられ、打球受け皿３の下方に隣接しては打球発射ハンドル４が設けられている。遊技者が打球受け皿３に打球を供給し、打球発射ハンドル４を回動することによりパチンコ球は弾発発射され該パチンコ球は遊技盤面２に向かって転動する。遊技盤面２上に到来した該パチンコ球は遊技盤面を転動の後、該遊技盤面に装着された入賞口装置７に落入可能となり、また入賞口装置７等に落入しなかったパチンコ球はアウト球口よりパチンコ遊技機外に排出される。
【００１４】
図示した入賞口装置７には、一般入賞口、始動入賞口、特別入賞口等の種別より構成されて成り、本実施例における入賞口装置７は、遊技盤２面中央部に設けられた前記図柄表示装置６の変動表示を開始させる始動入賞口となるものとして説明している。８は表示装置であって、入賞口装置７において入賞球の落入が検出された場合や、図柄表示装置６においてなされた変動表示に特別な利益を設定する大当たり図柄が確定された場合、或いは不正行為が当該パチンコ遊技機１において検出された場合等に、当該パチンコ遊技機１で成立する遊戯態様やパチンコ遊技機１の制御状況に応じて駆動点灯される。９は、大入賞口装置であって、前記大当たり図柄の確定表示を原因として所定の期間と条件に限って極めて広い入賞球落入領域を繰り返し形成することができる様制御回路基板ボックスに収納された制御回路基板４３などにより制御される。
【００１５】
図２において、１０は、遊戯場に設置された図示しないパチンコ球供給装置よりパチンコ球を受入れて賞品球や打球に供するパチンコ球を一時的に貯留する球タンクである。球タンク１０に連接してパチンコ球を賞品球払い出し装置１３に向けて導出するタンクレール１１が右方に傾斜して設けられている。１２は、入出力端子部であって、遊戯場に設置されたパチンコ遊技機管理装置に当該パチンコ遊技機１で処理された大当たり発生回数などの制御データや遊戯場の利益情報に係わる賞品球払い出しデータなどの管理情報が入出力される。
【００１６】
５は、パチンコ遊技機１の基体となる機枠であって、この機枠５を基体として前面側にはガラス枠や打球受け皿３等の装設される前面枠が開閉可能に軸止されるとともに、大入賞口装置７や図柄表示装置６等が配設された遊技盤２が脱着可能に収容される。また機枠５内部には、図２において図示したように、表示回路基板ボックス１４と、制御回路基板ボックス１５と、賞品球払い出し装置１３とが脱着可能に収容される。１６は中継回路基板であって、遊技盤２や機枠５に係着された大入賞口装置７や表示回路基板ボックス１４等に設けられた電磁部品、ランプ、ＬＥＤ、入賞球検出スイッチなどの電装品或いはパチンコ遊技機１に設けられる各種制御回路基板との電気接続を中継する。
【００１７】
賞品球払い出し装置１３の下方には、該賞品球払い出し装置１３が供出した賞品球を前記打球受け皿３に向けて誘導する賞品球排出経路２０が設けられている。賞品球排出経路２０は、上記の打球受け皿３に向け賞品球払い出し装置１３が払い出した賞品球を誘導するとともに、該打球受け皿３上で充満した賞品球を第二の下部打球受け皿に誘導する賞品球排出樋２１に連通されている。２３は電源配線であり賞品球払い出し装置１３の他大入賞口装置９や、図柄表示装置６、表示装置８若しくは制御回路基板ボックス１５等に電力を供給する。
【００１８】
２４は、入賞の検出や、大当たり図柄の確定表示、大入賞口装置の駆動等に同期して各種の音声、楽音を駆動拡声する音声駆動部である。２２は、上述した打球発射ハンドル４への回動操作をうけてパチンコ球を弾発する打球杆への付勢力を調整する弾発力調整装置である。１５は制御回路基板ボックスであり、制御回路基板ボックス１５には制御回路基板ボックスを封印する基板ボックス封止手段１７が４個一組で制御回路基板ボックス１５の左右の側端部に二組連設されている。
制御回路基板ボックス１５の表面には当該制御回路基板ボックス１５の製造者、製造年月日、制御回路基板ボックス１５が制御するパチンコ遊技機の機種名、更に必要とするロット番号、当該パチンコ遊技機１が設置される遊戯場名等が文字或いは記号により表示され剥離不能に添着された制御回路識別子１８が設けられている。また１９は制御回路基板ボックス１５表面に添着された当該制御回路基板ボックスが正規の検査を経て使用可能にされたことを証明する制御回路認証子である。
【００１９】
図３は、パチンコ遊技機１の平面図であって、機枠５の回動軸２７とともに既述の球タンク１０、機枠５、打球発射ハンドル４、打球受け皿３等の装着構造を図示したものである。また図３においてはプリペイカードによりパチンコ遊戯の実行を可能とするカードユニット２６を併せて示した。
【００２０】
また図４は、パチンコ遊技機１の側面図であり既述の表示装置８と、遊技盤２と、打球受け皿３と、打球発射ハンドル４と、賞品球排出樋２１と、制御回路基板ボックス１５と、基板ボックス封止手段１７と、当該パチンコ遊技機１の裏面中央部に覆設され入賞球等が落下転動する遊技盤裏面と各種パチンコ遊技機構成体を保護する遊技盤裏面カバー２５と、タンクレール１１と、球タンク１０とを図示している。
【００２１】
図２、図４、において、パチンコ遊技機１の裏面には、制御回路基板ボックス１５が図示しない係着手段より脱着可能に載置される。例えばフックを介した摺動操作或いはビスによる蝶着構造をもって制御回路基板ボックス１５パチンコ遊技機１背面に装着されている。
【００２２】
図５は、制御回路基板ボックス１５に４個の封止手段１７が該制御回路基板ボックス１５の一側端に併設された状態を示す。該封止手段１７を更に幅狭に形成すれば、後に詳説で明らかになるように封止手段が占有する領域を制御回路基板ボックス１５一側端の一隅の極めて幅狭な形態に形成することが可能となる。例えば封止手段１７に収容される係止手段（後に説明する第一ロック部材３０、第二ロック部材３１、第三ロック部材３２）における第一ロック手段の肉厚Ｎを二ｍｍに設定すれば、該第一ロック部材３０を支持する第二ロック部材３１、第三ロック部材３２に形成する壁幅を四ｍｍとして、一個の封止手段の横幅Ｍを六ｍｍ程度。四個の係止手段がトータルで形成する封止手段の幅を間隙二ｍｍを含めてＬ＝３２ｍｍの幅内に設けることが可能となる。
【００２３】
制御回路基板ボックス１５の内部に収容される制御回路基板の構成を、図１０において示した。図柄表示装置６、入賞口装置７、表示装置８、大入賞口装置９、賞品球払い出し装置１３、音声駆動部２４（音声制御装置４５）、打球発射装置（打球発射ハンドル４）などの各装置における制御内容についてはこれらの各装置に設けられた制御回路と制御回路基板４３に設けられた制御回路とによって決定され、入賞球の検出データ等に基づいて制御回路基板ボックス１５の制御回路基板４３に配設されたＣＰＵが、ＲＯＭに記憶された制御プログラムとＲＡＭで遊更新される遊技データに基づき制御内容を分岐する。
【００２４】
制御回路基板ボックス１５に収容された制御回路基板４３には、これらの各装置と信号を授受をするための端子部が設けられている。例えば大入賞口装置Ｉ／Ｆ端子、表示装置Ｉ／Ｆ端子、入賞口装置Ｉ／Ｆ端子、音声制御装置Ｉ／Ｆ端子、図柄表示装置Ｉ／Ｆ端子、賞品球払い出し装置Ｉ／Ｆ端子、図柄表示装置Ｉ／Ｆ端子等が設けられ図示しないコネクタを介して図柄表示装置６、入賞口装置７、表示装置８、大入賞口装置９、賞品球払い出し装置１３、音声駆動部２４（音声制御装置４５）、打球発射装置（打球発射ハンドル４）と電気接続可能にされている。
【００２５】
図８は、制御回路基板ボックス１５の側端を連設された基板ボックス封止手段１７の外形形状を示している。図８（Ｂ）は、図８（Ａ）において示した基板ボックス封止手段１７が制御回路基板ボックス１５との連設部に封止手段分離部４２（４２ａ、４２ｂ、４２ｃ、４２ｄ）を設けた構造を示すものである。パチンコ遊技機１の制御回路基板ボックス１５は制御回路基板４３を検査する際や修理時に基板ボックス封止手段１７を切断して制御回路基板ボックス１５から制御回路基板ボックス蓋２８を開放する。封止手段分離部４２は、制御回路基板ボックス蓋２８の開放作業を容易なものとする為に、基板ボックス封止手段１７と制御回路基板ボックス本体との接合面を薄く一段狭いものに形成した構造のものである。
【００２６】
制御回路基板の点検時には、制御回路基板ボックス１５に４個列設された基板ボックス封止手段１７の内遊技機製造メーカー出荷時既に固着された一つを切断分離して、制御回路基板ボックス１５を制御回路基板ボックス基体２９と制御回路基板ボックス蓋２８とに分割して制御回路基板ボックス基体２９を開放し制御回路基板４３検査し、再び隣接する他の基板ボックス封止手段１７によって制御回路基板ボックス基体２９と制御回路基板ボックス蓋２８とを封着する構成となっている。
なお、図８においてＬは、四個の基板ボックス封止手段１７が制御回路基板ボックス１５上で占有する幅を示し、Ｏは、単一の基板ボックス封止手段１７が制御回路基板ボックス１５と連設される部位の幅を示し、またＮは基板ボックス封止手段に嵌入される第一ロック部材３０の厚さを示す。またＭは、第一ロック部材３０が嵌入される基板ボックス封止手段１７の横幅となっている。
【００２７】
基板ボックス封止手段１７は、図７および図６において図示する様に第一ロック部材３０（金属性薄板状係止手段となるものであり３１、３２とともに封止手段と定義されるものである。）が第二ロック部材３１（係止手段となるものであり３０、３２とともに封止手段と定義されるものである。）と第三ロック部材３２（係止手段となるものであり３０、３１とともに封止手段と定義されるものである。）とに各々歯合する構造となっている。第一ロック部材３０に形成された係止面４８が、第二ロック部材３１に形成された係合面４６と第三ロック部材３２に形成された係合面４７とにそれぞれ当接し、第二ロック部材３１に連設された制御回路基板ボックス蓋２８と第三ロック部材３２に連設された制御回路基板ボックス基体２９とを併せて係止する。
【００２８】
図７（Ａ）は、金属性で板金加工により成型された薄い金属板より成る第一ロック部材３０の立体斜視図である。第一ロック部材３０は第一ロック片３４と第二ロック片３５とが一端が短い逆Ｕ字状として形成されて成る。第一ロック片３４の内側面には第一ロック片山部３４ａと第一ロック片谷部３４ｂとが形成される一方、第二ロック片３５には第一ロック片３４内側に相対向する第二ロック片山部３５ａと第二ロック片谷部３５ｂとが歯状に複数段相連接して形成されている。図６参照。
【００２９】
図７（Ｂ）は、制御回路基板ボックス蓋２８に連設され樹脂成型された第二ロック部材３１を示す。前記第一ロック部材３０の第一ロック片３４と第二ロック片３５とが挿通される挿通溝４０ａと挿通溝４０ｂとが該第二ロック部材３１には形成されている。図７（Ｃ）は、制御回路基板ボックス基体２９に連設された樹脂製の第三ロック部材３２を示す。第三ロック部材３２には制御回路基板ボックス蓋２８を制御回路基板ボックス基体２９に冠着する場合の制御基板ボックス基体２９側の位置決め手段となる案内片３９が制御基板ボックス蓋２８側の位置決め案内手段となる案内溝３８に対設されている。図８参照。また、図６（Ａ）において、第三ロック部材３２には第一ロック部材３０に形成された第一ロック片３４と第二ロック片３５の内と第二ロック片３５に歯合する第三ロック受片４１が形成された第三ロック受片山部４１aと第三ロック受片谷部４１ｂとを有する。
【００３０】
図７（Ｄ）は、第一ロック部材３０を第二ロック部材３１と第三ロック部材３２とに歯合して制御回路基板ボックス基体２９と制御回路基板ボックス蓋２８とを一体とした外観を図示した立体斜視図であり、図７（Ｅ）においては、制御回路基板ボックス１５連設される基板ボックス封止手段１７の該連接幅Ｏを幅狭な形状に成型した実施例を示した。この構造により、制御回路基板ボックスにおける基板ボックス封止手段１７の取付全長Ｌを、薄板状の第一ロック部材３０を係入する第二ロック部材３１（第三ロック部材３２）の壁厚と、隣設させる第二ロック部材３１（第三ロック部材３２）との間に形成する間隙とで計算される幅と、設ける第一ロック部材３０の個数分とで設定することができる。  従って、第一ロック部材３０の厚さを２ｍｍと設定し、壁厚を２ｍｍ、間隙を１ｍｍとし、設ける第一ロック部材の個数を４個とする場合には、（２＋２＋２＋１）×４＝２８ｍｍ、約三センチの制御回路基板ボックス１５における基板ボックス封止手段の取付全長Ｌを当該制御回路基板ボックス１５に設定すればよい構造となる。なお、本実施例においては、後述の切込溝５１ａ、切込溝５１ｂ、切込溝５２ａ、切込溝５２ｂを第二ロック部材３１と第三ロック部材３２との何れにも刻設しない例を示している。
【００３１】
図６（Ａ）は、図６（Ｂ）とともに基板ボックス封止手段１７による封止工程の概要を断面で図示し嵌入前と嵌入後を表した。第一ロック部材３０の頭部を作業者が挿入操作するだけで該第一ロック部材３０は第二ロック部材３１と第二ロック部材３２に透設された挿通溝４０に挿通される。第二ロック部材３１と第二ロック部材３２とは弾性変形可能な樹脂成型品としているので、第一ロック部材３０の侵入を受けて一旦は第一ロック受片３６と第二ロック受片３７と第三ロック受片４１は変形して作業者の挿入作業を許容する。
【００３２】
後弾性復帰により第一ロック受片３６と第二ロック受片３７と第三ロック受片４１とが反発して、第二ロック片山部３５ａと第二ロック受片山部３７ａとが当接し歯合が完了される。同様に第二ロック片山部３５ａと第三ロック受片山部４１ａとが当接し、また第一ロック片山部３４ａと第一ロック受片山部３６ａとが当接し第一ロック部材３０による第二ロック部材３１と第三ロック部材３２との歯合が完了し、第一ロック部材３０は基板ボックス封止手段１７おける咬止作用が終了し制御回路基板ボックス基体２９と制御回路基板ボックス蓋２８とが開放不能に嵌合される。従って第一ロック部材３０を制御回路基板ボックス側に設けられた基板ボックス封止手段１７に緩嵌操作するだけで制御回路基板ボックス基体２９と制御回路基板ボックス蓋２８とは開放不能に嵌合される、即ち、第一ロック部材３０に対して不正抜脱を防止するための蓋部材を取り付ける作業も必要なく、更に、予め第二ロック部材３１や第三ロック部材３２に第一ロック部材３０を係止するためのストッパー部材やピン固定台を設ける作業も、また特別な部品を制御回路基板ボックス封止のために設ける必要もない。
【００３３】
基板ボックス封止手段１７の構造について更に詳説する。３０は、金属板の打抜き加工により形成された第一ロック部材であるが、上記のように第一ロック部材３０には第一ロック片３４と第二ロック片３５とが延設され、第一ロック片３４の内側部には第一ロック片山部３４ａと第一ロック片谷部３４ｂとよりなる歯形状が複数段に亘って形成されている。また、第二ロック片３５にも第二ロック片山部３５ａと第二ロック片谷部３５ｂとからなる歯形状も多数段に亘って連なり形成された構造となっている。
【００３４】
第一ロック部材３０の頭部は面一とされず段差が設けられた表面部を有し高さのある一方の側内面には間隙部３３が形成されている。この段差と間隙は、複数個の第一ロック部材３０をまとめて把持機構により把持させ、後一個の第一ロック部材３０を取り出し、逐一連続して制御回路基板ボックス１５に第一ロック部材３０を嵌入させるための構造である。即ち、産業ロボットに設けられる取付部品（第一ロック部材３０）把持兼繰り出し機構に関するものであって、制御回路基板ボックス１５の組付け製造工程の作業効率化の為に設けられている。勿論、組み付け作業者の手作業によって第一ロック部材３０を制御回路基板ボックス１５に組み付けることは可能である。
【００３５】
この場合は、特別に作成された組付け工具を設置する必要はなく作業者の手作業若しくはハンマーを介して第一ロック部材３０の頭部を押圧して第一ロック部材３０を制御回路基板ボックス１の基板ボックス封止手段１７嵌挿することができる。第一ロック片３４は、第二ロック部材３１を貫通した位置の第三ロック部材３２に形成された挿通溝４０内において収容され前記歯形状が形成された延出部を有し、該延出部は第二ロック片３５に形成された歯側に向かって付勢される形体とするか傾斜する弾性変形可能な樹脂製素材により形成するのが第一ロック部材３０の嵌挿作業上好ましい。
【００３６】
第二ロック片３５は後述する第三ロック部材３２を貫通し該第三ロック部材３２の外側において前記歯形状が形成された延出部の先端が位置する様実施例においては長さ形成されている。勿論第二ロック片３５が第三ロック部材３２内に収容され露出しない構造としてもよい。該延出部は第一ロック片３４に形成された歯形状に向かって付勢されるか傾斜する樹脂製材として形成すると第二ロック部材３１の係合面４７と第三ロック部材３２の係合面４６とを第一ロック部材３０の係止面４８が把持する作用を補完する構造となるので好ましい。
【００３７】
第二ロック部材３１には、第一ロック受片山部３６ａと第一ロック受片谷部３６ｂとが歯状に形成された挿通溝４０ｂが透設されるとともに、第二ロック受片山部３７ａと第二ロック受片谷部３７ｂとが歯状に形成された挿通溝４０ａが透設されている。第二ロック部材３１の第一ロック受片３６と第二ロック受片３７ととの下方端には第三ロック部材３２に凸設された案内片３９を嵌入する案内溝３８が凹形状で断面逆三角形状に欠切形成されている。
【００３８】
第三ロック部材３２は、第一ロック部材３０の第一ロック片３４が挿通される挿通溝４０ｄが貫設されるとともに、第一ロック部材３０の第二ロック片３５を嵌入する挿通溝４０ｃが透設されている。また第一ロック部材３０の第二ロック片３５に形成された第二ロック片山部３５ａと第二ロック片谷部３５ｂとに係合する第三ロック受片４１の第三ロック受片山部４１ａと第三ロック受片谷部４１ｂとが該挿通溝４０ｃ内壁面に形成されている。
【００３９】
なお、第二ロック部材３１の第二ロック受片３７と、第三ロック部材３２の第三ロック受片４１は、該第二ロック受片３７と第三ロック受片４１との下方端部が弾性変移を許容する切込溝５１ａ、５１ｂ、切込溝５２ａ、５２ｂが刻設されている。
【００４０】
また、第三ロック部材３２に凸設した案内片３９と第二ロック部材３１に凹設した案内溝３８とは、制御回路基板ボックス基体２９に制御回路基板ボックス蓋２８を冠設する場合の位置決め手段とも成るものである。当該位置決め手段の精度を高める為に、案内片３９と案内溝３８とが形成する面領域より専有面積の狭い円錐形の凸部と凹部とを設ける構造としてもよい。制御回路基板ボックス基体２９と制御回路基板ボックス蓋２８との位置ずれ変移を阻止する為複数組の案内片と案内溝とを設ける構造とするのが好ましい。
【００４１】
制御回路基板ボックス基体２９に連設して設けられた第三ロック部材３２に形成された案内片３９を制御回路基板ボックス蓋２８に連設された第二ロック部材３１の案内溝３８に挿入する。案内片３９と案内溝３８とは上記のように相対応して断面三角に形成された凸片と凹溝とにより成っていて嵌入時に互いに摺接しつつ当接し密着して嵌合させることができる。これによって第三ロック部材３２と、第二ロック部材３２とは接合箇所に隙間のない状態で密着される。
【００４２】
第三ロック部材３２に連設された制御基板ボックス基体２９と、第二ロック部材３２の連設された制御回路基板ボックス蓋２８とは容易にしかも極めて精度の高い位置決めをもって制御回路基板ボックス１５組付け作業が行える。また基板ボックス封止手段１７である第一ロック部材３０と第二ロック部材３１と第三ロック部材３２とによる密着接合によって制御回路基板ボックス基体２９と制御回路基板ボックス蓋２９とが浮動することが阻止できる。
【００４３】
案内片３９と案内溝３８とが嵌合された後、第一ロック部材３０によって第二ロック部材３１と第三ロック部材３２とが供に密着されることにより、制御回路基板ボックス基体２９と制御回路基板ボックス蓋２８とが第一ロック部材３０によって更に掴持される。即ち第二ロック部材３１に形成された挿通溝４０ａ、４０ｂに第一ロック部材３０の第一ロック片３４と第二ロック片３５とが挿通され、更に第一ロック部材３０が侵出して第二ロック部材に形成された挿通溝４０ｃ、４０ｄとに該第一ロック部材３０の第一ロック片３４と第二ロック片３５とが連通されて第一ロック部材３０が第二ロック部材３１と第三ロック部材３２とを掴持する。
【００４４】
第一ロック部材３０に設けられた第二ロック片３５には、多数段に形成された第二ロック片山部３５ａと第二ロック片谷部３５ｂとを有し、第二ロック片山部３５ａと第二ロック片谷部３５ｂの複数組は、第二ロック片３５が一次に侵入した第三ロック部材３２の第三ロック受片山部４１ａ、第三ロック受片谷部４１ｂと歯合される。また、第二ロック片山部３５ａと第二ロック片谷部３５ｂの他の複数組は、第二ロック片３５が二次に侵入した第二ロック部材３１に設けられた第二ロック受片山部３７ａと第二ロック受片谷部３７ｂとに各々歯合される。
【００４５】
一方、第一ロック部材３０に設けられた別の第一ロック片３４には複数段形成された第一ロック片山部３４ａと第一ロック片谷部３４ｂとからなる歯形状が形成されている。形成された歯形状は、該第一ロック片３４が侵入した第二ロック部材３２に形成された第一ロック受片山部３６ａ、第一ロック受片谷部３６ｂとで歯合される。
【００４６】
第一ロック部材３０に形成された第一ロック片３４と第二ロック片３５と、第二ロック部材３１に形成された第二ロック受片３７と、第三ロック部材３２に形成された第三ロック受片４１とは既述のように弾性変形可能な樹脂形成体となっていて第一ロック片３４と第二ロック片３５とが第二ロック部材３１の挿通溝４０ａ、４０ｂ若しくは第三ロック部材３２の挿通溝４０ｃへの挿通時に互いに歪んで各挿通溝４０内への第一ロック部材３０の侵入を許容する構造となっている。
【００４７】
図９は、実施例における第一ロック部材３０と制御回路基板ボックス蓋２８に連設された第二ロック部材３１と制御回路基板ボックス基体２９に連設された第三ロック部材３２とによりなる基板ボックス封止手段１７における封止作用の概要を作用軸と作用内容とを矢印で示した断面図である。
【００４８】
制御回路基板ボックス１５に対して不正な行為がなされて、基板ボックス封止手段１７である第一ロック部材３０を該第一ロック部材３０が係入された図９における上側方向或いは下側方向に引き抜き離脱させる作用が生じた場合には、図示Ｘ方向と、−Ｘ方向と、Ｙ方向と、−Ｙ方向とで、これを阻止する抗力が生じる。また第一ロック部材３０の弾性変形可能な第一ロック片３４と第二ロック片３５とが引き抜き作用を受けて図示Ｒと−Ｒとの左右方向に拡開作用する側にも対向して抗力が生じて第一ロック部材３０の抜脱が阻止される。
【００４９】
従来構造において、制御回路基板ボックス１５の締着部や封止手段を打ち破り、締着螺子やピンを抜脱した不正行為者は、該締着螺子やピンの挿入箇所に螺子ピンを差し戻し不正行為の痕跡を隠蔽する。本実施例においては、以上のように第一ロック部材３０を抜脱しようとすれば第二ロック部材３１と第三ロック部材３２が破損する。特に不正な封止手段に対する抜脱行為によって第二ロック部材３１の第一ロック受片３６と第二ロック受片３７および第三ロック部材３２の第三ロック受片４１とが破壊される。破壊された第二ロック部材３１と第三ロック部材３２と元に戻して隠蔽することは不可能となる。
【００５０】
特に破壊された第一ロック受片３６と第二ロック受片３７と第三ロック受片４１との粉砕物を組み合わせ初期の形体に復活させることは不可能となる。従って不正抜脱した螺子やピンを制御回路基板ボックス１５に戻して痕跡を除去する隠蔽工作は実施できなくなる。第二ロック部材３１と第三ロック部材３２とを形成する樹脂の基材はＡＢＳやポリカーボネイトを実施例においては採用したが、第二ロック部材３１と第三ロック部材３２とへの破壊作用時に樹脂成型体が細かく粉砕される補完剤を基材となるＡＢＳ樹脂に混入するものとしてもよい。
【００５１】
制御回路基板ボックス締着用の螺子やピンを取外して制御回路基板に不正な変更を加え後再び螺子やピンを戻すとともに螺子やピンの周辺部に隠蔽工作を施しても本実施例に記載した構成に対しては機能しない。実施例に記載した構成によって、不正行為により損傷され破壊された基板ボックス封止手段１７の部位を復活不能に留めさせて不正行為の発見を容易とする供に、不正な抜き脱作用を複数方向からの抗力をもって強固に阻止し、また第一ロック部材３０が第二ロック部材３１と第三ロック部材３２とをともに歯合してこれを密着させ咬合し、緩みのない封止機能が維持される。
【００５２】
本実施例の構成によって第一ロック部材３０を容易に障害無く抜脱することは不可能であるとともに樹脂製封止手段となる第二ロック部材３１と第三ロック部材３２に対する不正な破壊行為によって粉砕された係止手段となる第二ロック部材３１と第三ロック部材３２を初期の形態に戻すことはできず不正行為の痕跡を容易に発見することできる。
【００５３】
接着剤等を用いて破壊された樹脂製品を初期の状態に戻すことが工作される場合には、既述したように樹脂性係止手段となる第二ロック部材３１と第三ロック部材３２の化学的素性若しくは物理的特性を変更して対応することができる。例えば陶土等の樹脂基材への混入、第二ロック部材３１と第三ロック部材３２とを極めて薄い板壁で形成して容易に破壊させ、破壊後の第二ロック部材３１と第三ロック部材３２との再生を不可能な形体に成型するようにしてもよい。
【００５４】
次に、先行する出願においては締着螺子や封止ピンの頭部に、新たな別の蓋部材を冠着して該締着螺子や封止ピンの抜き脱行為から防護しようとする技術も創作されているが、これら手段によっては、封止手段に別部品として資材管理しなければ成らないことに加え、制御回路基板ボックス１５の製造工程における締着螺子の締着作用に対応して制御回路基板ボックス１５を損傷させない挿入ピン固定台等の取付作業と、前記蓋部材の重着作業とを併せて経なければ成らないこととなり、制御回路基板ボックス製造工程を時間のかかる複雑なものとしていた。
【００５５】
一方、本実施例に記載した構成によって、制御回路基板ボックス基体２９と制御回路基板ボックス蓋２８とを、案内片３９と案内溝３８とにより位置決め案内されて嵌合された制御回路基板ボックス１５は、既に合体して一体と成っている制御回路基板ボックス基体２９に連設された第三ロック部材３２と制御回路基板ボックス蓋２８に連設された第二ロック部材３１とに対して、第一ロック部材３０を押圧挿入するのみで、当該制御回路基板ボックス１５は不正開放不能な形体とで簡単に封止することができる構造となった。
【００５６】
これにより従前使用されていた締着螺子を螺着するためのドライバや、締着ピンを打ち込むためのハンマー装置を製造ラインに設ける必要が無くなり、また電動工具を使用する制御回路基板ボックス組み付け作業者の労力も軽減される。既述したように制御回路基板ボックス１５の部品点数の減少と安価なポリカーボネイトやＡＢＳの樹脂製品のみで制御色基板ボックス１５が係止手段となる第一ロック部材３０により封止できるので極めて経済的且つ作業効率の高い不正防護策と、制御回路基板ボックス製造工程の提供もできる効果を生じる。勿論第一ロック部材３０の頭部を槌などにより第二ロック部材３１と第三ロック部材３２とに圧入することはできる。
【００５７】
なお、図５においては制御回路基板ボックス１５に設けられた基板ボックス封止手段１７、金属性薄板状係止手段である第一ロック部材３０と係止手段となる第二ロック部材３１と同じく係止手段となる第三ロック部材３２とが一組で計４組当該制御回路基板ボックス１５の上方の一端部に形成されているものを図示している。勿論下方にも同様に４組形成して、上方の一組と下方の一組を一対として計４組の基板ボックス封止手段を設ける構成としてもよい。従ってこの場合正規の制御回路基板の検査や修理に際しては、上方の一組と相対応する下方の一組の基板ボックス封止手段１７をカッターやニッパーなどで分離して制御回路基板ボックス１５を開放し、当該制御回路の動作確認や認証、修理が実施される。
【００５８】
また、図２、図４、図５、図８の何れにおいても４組全ての封止手段１７が既に制御回路基板ボックス１５に係合された態様で図示してあるが、パチンコ遊技機１の製造メーカー出荷時は４組の基板ボックス封止手段１７の内一の基板ボックス封止手段１７のみについて第一ロック部材３０が咬止られて遊技場へ出荷される。後、既述の制御回路基板４３についての正規の検査の際と制御回路基板４３の故障時に当該基板ボックス封止手段１７の一段目が撤去され該制御回路基板ボックス１５が開放されて所定の検査と、特別な修理の実施が許容される。
【００５９】
検査若しくは修理の完了後において、次段に設けられた基板ボックス封止手段１７が、金属製薄板状係止手段である第一ロック部材３０が第二ロック部材３１と第三ロック部材３２とに嵌入され制御回路基板ボックス１５が再び封止される。
【００６０】
上記の場合、次段の為に準備される第一ロック部材３０を予め次段の第二ロック部材３１に取り外し不能に係着させる構造としても良い。工場出荷時に咬止た第一の封止手段を除く３組全てを各第二ロック部材３１で抜脱、取外不能に係止させておく構造としてもよい。但しセキリティ管理上は第一ロック部材３０を当該制御回路基板ボックスと１５は分離してパチンコ遊戯場若しくは当該制御回路基板ボックスの製造販売メーカーにおいて管理するのが好ましい。検査若しくは修理上特別に許可された場合のみに第一ロック部材３０を当該パチンコ遊技機に対して配布して制御回路基板ボックス１５の基板ボックス封止手段１７を封止する第一ロック部材３０の配布モデルによって、当該第一ロック部材３０の部品管理と、当該制御回路基板ボックス１５の開放履歴の管理とが行える効果を生じる。
【００６１】
本実施例に記載した発明は、制御回路基板ボックス基体２９と樹脂成型された制御回路基板ボックス蓋２８とを不正開放不能に封止する基板ボックス封止手段１７を、制御回路基板ボックス基体２９に連設された係止手段３２の係合面４６と、制御回路基板ボックス蓋２８に連設された係止手段３１の係合面４７と、該係合面４６と係合面４７とに各々歯合するとともに抱持して該制御基板ボックス基体２９と制御基板ボックス蓋２８とを封止する金属性薄板状係止手段３０とにより構成したことを特徴とする遊技機における制御回路基板ボックスとなるものである。
【００６２】
本実施例に記載した構成によって本願発明は、制御回路基板ボックスに設けられた封止手段が不正抜脱されることを金属性薄板状係止手段と単純な係止手段の組合わせ構造によって不可能にものにするとともに、封止手段に対する破壊行為の隠蔽を困難なものとする一方、併せて係止手段が係入される封止手段が制御回路基板ボックスを占有する封止手段の取付面積を幅狭で占有領域の微少なものにする効果を生じる。また、基板ボックス封止手段１７を構成する金属製薄板状係止手段３０に形成される第一ロック片（歯面）３４と第二ロック片（歯面）３５とが、係止手段３１に形成される第一ロック受片（歯面）３６と第二ロック受片（歯面３７）、および係止手段３２に形成される第三ロック受片（歯面）４１とに互いに咬み合って係止する構造とすれば、係止手段３０と係止手段３１と係止手段３２とが互いに密着して基板ボックス封止手段１７が確実な一体構造となるので、係止手段の係合部の間隙が密封されて不正行為の脆弱性をもたらす誘因が封印される効果も期待できる。
【００６３】
基板ボックス封止手段１７に嵌挿される第一ロック部材３０と第二ロック部材３１と第三ロック部材３２とを幅狭な第一ロック部材となる金属性薄板状係止手段３０に対応して形成して基板ボックス封止手段１７の有する立体構造の縮小化を、金属性板状係止手段の厚みＮを薄くすることと一平面軸上において第一ロック部材３０と第二ロック部材３１と第三ロック部材３２とを歯合いさせる構造として図った。また制御回路基板ボックス基体２９と制御回路基板ボックス蓋２８との封止を上記第一ロック部材３０の係止面４８を制御回路基板ボックス蓋２８に連設された基板ボックス封止手段１７の第二ロック部材３１の係合面４７と制御回路ボックス基体２９に連設された基板ボックス封止手段１７の第三ロック部材３２係合面４６とで各々歯合して、基板ボックス封止手段１７を構成する第一ロック部材３０の抜脱を阻止し制御回路基板ボックス１５の確実な封止が達成する。
【００６４】
制御回路基板ボックス１５に係入された係止手段が不正抜脱されることを簡単な構造で不可能にするとともに、封止手段に対する破壊行為の隠蔽を困難なものとする。また、係止手段が制御回路基板ボックス１５を占有する取付領域を幅狭で微少なものとし制御回路基板ボックス１５の全体構造を小型化することを可能としに併せて多数回の回路基板検査にも対応できる封止手段を有する遊技機の制御回路基板ボックスを提供する。
【００６５】
なお、金属製薄板状係止手段３０に形成される第一ロック片３４が歯面となり、金属製薄板状係止手段３０に形成される第二ロック片３５が歯面となり、係止手段３１に形成される第一ロック受片３６が歯面となり、係止手段３１に形成される第二ロック受片３７が歯面となる。また係止手段３２に形成される第三ロック受片４１が歯面となって歯面の咬み合い作用は平面軸上に成立して、締着螺子や締着ピンの胴部の外周に三次元では形成されず、比較して幅狭な咬み合い構造とすることができる。
【００６６】
また、金属製薄板状係止手段３０に形成される第一ロック片３４と第二ロック片３５の歯は互いに対向し、各々独立して歯合して作用する咬み合い構造を有して、相互に歯合を補完する形状で、板金の打ち抜き形成により製造されたものである。
【００６７】
基板ボックス封止手段１７が制御回路基板ボックス１５に連設される連接幅Ｏを該基板ボックス封止手段１７が金属性薄板状係止手段３０を収容する立体領域から延設される幅狭に形成するともに、制御回路基板ボックス１５を形成する制御回路基板ボックス基体２９に連設された係止手段３２と制御回路基板ボックス蓋２８に連設された係止手段３１とに各々歯合して制御回路基板ボックス１５より抜脱不能に嵌入される前記金属性薄板状係止手段３０を具備する基板ボックス係止手段１７を有することを特徴とする遊技機における制御回路基板ボックス１５として、制御回路基板ボックス１５に設けられた係止手段を抜脱することを不可能にするとともに、封止手段に対する破壊行為の隠蔽を困難なものとする一方、封止手段が制御回路基板ボックス１５を占有する取付領域を幅狭で微少なものに留めることを可能として制御回路基板ボックス１５の構成を取り扱いやすくシンプルな構造とすることができる。
【００６８】
一方、基板ボックス封止手段１７が幅狭に構成できることにより基板ボックス封止手段１７の取付個数の増加を図ることができる。従って、多数回の制御回路基板ボックス１５に対する検査行為や、修理作業にも応じれる制御回路基板ボックス１５が提供できる効果を生じる。
【００６９】
制御回路基板ボックス基体２９に連設する第三ロック部材３２および制御回路基板ボックス蓋２８に連設する第二ロック部材３１はそれぞれ一組ごとに色彩を異ならせて形成し、本実施例における４組の係止手段に４種類色彩を組み合わせ設定し当該基板ボックス封止手段１７や当該制御回路基板ボックス１５の別を識別できるようにする構成としてもよい。複数個列設する基板ボックス封止手段１７や制御回路基板ボックス１５を機種毎や生産ロット別に色彩を異ならせて成型してよい。
【図面の簡単な説明】
【００７０】
【図１】本願発明に係るパチンコ遊技機の正面図である。
【図２】本願発明に係るパチンコ遊技機の裏面図である。
【図３】本願発明に係るパチンコ遊技機の平面図である。
【図４】本願発明に係るパチンコ遊技機の側面図である。
【図５】本願発明に係る制御回路基板ボックスの概要図である。
【図６】本願発明に係る基板ボックス封止手段の封止作用を示す断面図である。
【図７】本願発明に係る制御回路基板ボックスの封止状態を示す斜視図である。
【図８】本願発明に係る制御回路基板ボックス封止手段分離部の異なる態様を示す斜視図である。
【図９】本願発明に係る樹脂製封止手段における封止作用の概要を作用軸と作用内容とともに示す図である。
【図１０】本願発明に係る制御回路基板の概要を示す制御回路ブロック図である。
【符号の説明】
【００７１】
１  パチンコ遊技機  、２  遊技盤  、３  打球受け皿  、
４  打球発射ハンドル  、５  機枠  、６  図柄表示装置  、７  入賞口装置  、８  表示装置  、９  大入賞口装置  、１０  球タンク  、
１１  タンクレール  、１２  入出力端子部  、１３  賞品球払い出し装置  、１４  表示回路基板ボックス  、１５  制御回路基板ボックス  、
１６  中継回路基板  、１７  基板ボックス封止手段  、
１８  制御回路識別子  、１９  制御回路認証子  、２０  賞品球排出経路  、２１  賞品球排出樋、２２  弾発力調整装置  、２３  電源配線  、
２４  音声駆動部  、２５  遊技盤裏面カバー  、２６  カードユニット  、
２７  回動軸  、２８  制御回路基板ボックス蓋  、
２９  制御回路基板ボックス基体  、３０  第一ロック部材  、
３１  第二ロック部材  、３２  第三ロック部材  、３３  間隙部  、
３４  第一ロック片  、３４a  第一ロック片山部  、３４a  第一ロック片谷部、３５  第二ロック片  、３５ａ  第二ロック片山部  、
３５ｂ  第二ロック片谷部  、３６  第一ロック受片  、
３６a  第一ロック受片山部  、３６b  第一ロック受片谷部  、
３７  第二ロック受片  、３７a  第二ロック受片山部  、
３７b  第二ロック受片谷部  、３８  案内溝  、３９  案内片  、
４０  挿通溝  、４０a  挿通溝  、４０b  挿通溝  、４０c  挿通溝  、
４０d  挿通溝  、４１  第三ロック受片  、４１a  第三ロック受片山部  、
４１ｂ  第三ロック受片谷部  、４２  封止手段分離部  、  
４３  制御回路基板  、  ４５  音声制御装置  、４６  係合面  、  
４７  係合面  、  ４８  係止面  、４９  壁面  、
５０  壁面  、５１ 切込溝  、５２  切込溝  、  
Ｌ  基板ボックス封止手段取付全長  、Ｍ  最長横幅  、
Ｎ  第一ロック部材厚み  、  Ｏ  連接幅  、  Ｐ  縦幅  、  
Ｑ  第一ロック部材平面幅  。
【図１】
2005095205.tif 000003
【図２】
2005095205.tif 000004
【図３】
2005095205.tif 000005
【図４】
2005095205.tif 000006
【図５】
2005095205.tif 000007
【図６】
2005095205.tif 000008
【図７】
2005095205.tif 000009
【図８】
2005095205.tif 000010
【図９】
2005095205.tif 000011
【図１０】
2005095205.tif 000012